(57)【要約】送信番号を含むパケットを用いて無線接続する他の無線通信装置にデータを送信する無線通信装置であって、前記データの送信に関する条件を示す送信条件が第１送信条件である場合、前記データを第１データに分類し、前記データの送信条件が前記第１送信条件とは異なる第２送信条件である場合、前記データを第２データに分類する制御部と、前記データが第１データである場合、前記無線接続に関するレイヤにおける第１送信モードで送信し、前記第２データが第２データである場合、前記無線接続に関するレイヤにおける第２送信モードで送信する送信部とを有する。
2018189882.tif 000002
【特許請求の範囲】
【請求項１】
送信番号を含むパケットを用いて無線接続する他の無線通信装置にデータを送信する無線通信装置であって、
前記データの送信に関する条件を示す送信条件が第１送信条件である場合、前記データを第１データに分類し、前記データの送信条件が前記第１送信条件とは異なる第２送信条件である場合、前記データを第２データに分類する制御部と、
前記データが第１データである場合、前記無線接続に関するレイヤにおける第１送信モードで送信し、前記第２データが第２データである場合、前記無線接続に関するレイヤにおける第２送信モードで送信する送信部と
を有する無線通信装置。
【請求項２】
前記第１送信モードは、前記他の無線通信装置が事前に受信したパケットと連続した送信番号のパケットを受信したとき、前記他の無線通信装置に前記受信したパケットに含まれるデータに対応する処理を実行させ、前記他の無線通信装置が事前に受信したパケットと連続しない送信番号のパケットを受信したとき、前記他の無線通信装置に事前に受信したパケットと連続した送信番号のパケットを受信するまで前記受信したパケットに含まれるデータに対応する処理を実行させない送信モードであり、
前記第２送信モードは、前記他の無線通信装置が事前に受信したパケットと連続した、あるいは連続しない送信番号のパケットを受信したとき、前記他の無線通信装置に前記受信したパケットに含まれるデータに対応する処理を実行させる送信モードである
請求項１記載の無線通信装置。
【請求項３】
前記データに対応する処理は、前記データを使用するアプリケーションプログラムであって、前記他の無線通信装置が有するアプリケーションプログラムに前記データを引き渡す処理である
請求項２記載の無線通信装置。
【請求項４】
前記送信条件は、前記データの送信において許容される遅延時間を示す許容遅延時間であり、
前記第２送信条件は、前記第１送信条件よりも短い許容時間である
請求項１ないし３記載の無線通信装置。
【請求項５】
前記第２送信モードにおける前記パケットの送信が完了するまでの送信完了時間は、前記第１送信モードにおける送信完了時間よりも短い
請求項１ないし４記載の無線通信装置。
【請求項６】
前記送信部は、前記データを前記第１送信モードで送信するとき、第１無線チャネルを使用し、前記データを前記第２送信モードで送信するとき、前記第１無線チャネルとは異なる第２無線チャネルを使用する
請求項１ないし５記載の無線通信装置。
【請求項７】
前記第１送信モードは、前記他の無線通信装置に対して、パケットを受信したことを示す受信確認を送信するよう要求する送信モードであり、
前記第２送信モードは、前記他の無線通信装置に対して、前記受信確認を要求しない送信モードである
請求項１ないし６記載の無線通信装置。
【請求項８】
前記第１送信モードは、AM（Acknowledged Mode）であり、
前記第２送信モードは、UM（Unacknowledged Mode）である
請求項７記載の無線通信装置。
【請求項９】
前記第２送信モードは、前記UM又はTM（Transparent Mode）である
請求項８記載の無線通信装置。
【請求項１０】
前記無線接続に関するレイヤは、RLC（Radio Link Control）レイヤである
請求項１ないし９記載の無線通信装置。
【請求項１１】
前記送信部は、前記データを前記第２送信モードで送信するとき、複数の前記無線接続に関するレイヤのうち、最上位のレイヤにおいて、前記データが第２データであることを示す情報を、前記データを送信するパケットに含める
請求項１ないし１０記載の無線通信装置。
【請求項１２】
前記最上位のレイヤは、Ｎｅｗ  ＡＳ  サブレイヤまたはＳＤＡＰである
請求項１１記載の無線通信装置。
【請求項１３】
前記送信部は、前記データを前記第２送信モードで送信するとき、前記データを複数回送信する
請求項１ないし１２記載の無線通信装置。
【請求項１４】
無線接続する他の無線通信装置から、送信番号を含むパケットを用いて送信されたデータを受信する無線通信装置であって、
前記データを含むパケットを受信する受信部と、
前記受信したパケットが、前記データの送信に関する条件を示す送信条件が第１送信条件である第１データであるときに使用される第１送信モードで送信されている場合、第１受信処理を行い、前記受信したパケットが、前記送信条件が第２送信条件である第２データであるときに使用される第２送信モードで送信されている場合、第２受信処理を行う処理部と、  
を有する無線通信装置。
【請求項１５】
前記受信部は、受信したパケットに使用されている無線チャネルが、
前記データを第１送信モードで送信するとき使用される第１無線チャネルであるとき、前記受信したパケットは第１送信モードで送信されたと判定し、
前記データを第２送信モードで送信するとき使用される前記第１無線チャネルとは異なる第２無線チャネルであるとき、前記受信したパケットは第２送信モードで送信されたと判定する
請求項１４記載の無線通信装置。
【請求項１６】
第１の無線通信装置と、送信番号を含むパケットを用いて無線接続する前記第１の無線通信装置にデータを送信する第２の無線通信装置を有する無線通信システムであって、
前記第２の無線通信装置は、
前記データの送信に関する条件を示す送信条件が第１送信条件である場合、前記データを第１データに分類し、前記データの送信条件が前記第１送信条件とは異なる第２送信条件である場合、前記データを第２データに分類する制御部と、
前記データが第１データである場合、前記無線接続に関するレイヤにおける第１送信モードで送信し、前記第２データが第２データである場合、前記無線接続に関するレイヤにおける第２送信モードで送信する送信部とを有し、
前記第１の無線通信装置は、
前記データを含むパケットを受信する受信部と、
前記受信したパケットが第１送信モードで送信されている場合、第１受信処理を行い、前記受信したパケットが第２送信モードで送信されている場合、第２受信処理を行う処理部とを有する
無線通信システム。
【請求項１７】
送信番号を含むパケットを用いて無線接続する他の無線通信装置にデータを送信する無線通信装置における無線通信方法であって、
前記データの送信に関する条件を示す送信条件が第１送信条件である場合、前記データを第１データに分類し、前記データの送信条件が前記第１送信条件とは異なる第２送信条件である場合、前記データを第２データに分類し、
前記データが第１データである場合、前記無線接続に関するレイヤにおける第１送信モードで送信し、前記第２データが第２データである場合、前記無線接続に関するレイヤにおける第２送信モードで送信する
無線通信方法。
【発明の詳細な説明】
【技術分野】
【０００１】
本発明は、無線通信装置、無線通信方法、及び無線通信システムに関する。
【背景技術】
【０００２】
現在のネットワークは、モバイル端末（スマートフォンやフューチャーホン）のトラフィックがネットワークのリソースの大半を占めている。また、モバイル端末が使うトラフィックは、今後も拡大していく傾向にある。【０００３】
一方で、ＩｏＴ（Internet of a things）サービス（例えば、交通システム、スマートメータ、装置等の監視システム）の展開にあわせて、多様な要求条件を持つサービスに対応することが求められている。そのため、次世代（例えば、５Ｇ（第５世代移動体通信））の通信規格では、４Ｇ（第４世代移動体通信）の標準技術に加えて、さらなる高データレート化、大容量化、低遅延化を実現する技術が求められている。なお、次世代通信規格については、３ＧＰＰの作業部会（例えば、ＴＳＧ−ＲＡＮ  ＷＧ１、ＴＳＧ−ＲＡＮ  ＷＧ２等）で技術検討が進められている。【０００４】
上記で述べたように、多種多様なサービスに対応するために、次世代の通信規格（例えば、５Ｇ）では、ｅＭＢＢ（Enhanced  Mobile  BroadBand）、Ｍａｓｓｉｖｅ  ＭＴＣ（Machine  Type  Communications)、およびＵＲＬＬＣ（Ultra−Reliable and  Low  Latency  Communication）に分類される、多くのユースケースのサポートを想定している。【０００５】
また、無線通信システムの通信規格では、無線通信の機能を一連の層（レイヤ）に分割したプロトコルスタック（階層型プロトコルとも称される）として、仕様が規定される。例えば、第一層として物理層が規定され、第二層としてデータリンク層が規定され、第三層としてネットワーク層が規定される。ＬＴＥなどの第四世代移動通信システムでは、第二層は複数の副層に分割されており、ＭＡＣ（Medium Access Control）レイヤ、ＲＬＣ（Radio Link Control）レイヤ、ＰＤＣＰ（Packet Data Convergence Protocol）レイヤから構成される。また、第四世代移動通信システムにおいて、第一層はＰＨＹ（Physical）レイヤから構成されており、第三層はＲＲＣ（Radio Resource Control）レイヤから構成される（ＲＲＣレイヤは制御プレーンのみ）。なお、ＭＡＣレイヤ、ＲＬＣレイヤ、ＰＤＣＰレイヤについては、上述したように第二層の副層であることから、これらをＭＡＣサブレイヤ、ＲＬＣサブレイヤ、ＰＤＣＰサブレイヤと称してもよい。【０００６】
無線通信システムの送信装置における各レイヤは、上位レイヤからのデータブロック（サービスデータユニット（ＳＤＵ：Service Data Unit）とも称される）に対して、ヘッダを付すなどの所定のプロトコルに準拠した処理を行うことで、受信装置におけるピアプロセス間で交換される情報単位であるプロトコルデータユニット（ＰＤＵ：Protocol Data Unit）を生成し、下位レイヤに転送する。例えば、ＬＴＥのＲＬＣレイヤでは、上位レイヤであるＰＤＣＰレイヤからのデータブロックであるＰＤＣＰ−ＰＤＵをＲＬＣ−ＳＤＵとし、下位レイヤから通知されるＴＢ（Transport Block）長に収まる範囲で複数のＲＬＣ−ＳＤＵを連結するなどして、ＲＬＣ−ＰＤＵを生成する。その様なＲＬＣ−ＰＤＵは、ＲＬＣレイヤにおけるシーケンス番号（ＳＮ：Sequence Number）を有するＲＬＣヘッダが付された状態で、下位レイヤであるＭＡＣレイヤに転送される。【０００７】
無線通信システムの受信装置における各レイヤは、下位レイヤからのデータブロック（ＰＤＵとも称される）を受けて、ヘッダを除去するなどして取り出したデータブロック（ＳＤＵとも称される）を上位レイヤへ転送する。例えば、ＬＴＥのＲＬＣでは、下位レイヤであるＭＡＣレイヤからのデータブロック（ＭＡＣ−ＳＤＵ、ＲＬＣ−ＰＤＵとも称される）に付されたＲＬＣヘッダを参照して、１個のＲＬＣ−ＰＤＵに格納された複数のＲＬＣ−ＳＤＵを再構成するなどの処理が行われ、上位レイヤであるＰＤＣＰレイヤにＲＬＣ−ＳＤＵを転送する。その際、上位レイヤに対してＲＬＣ−ＳＤＵの順序を補償するために、ＲＬＣ−ＳＤＵの再構成において、ＲＬＣヘッダが有するＲＬＣシーケンス番号に基づく整序処理が行われる。そして、ＲＬＣシーケンス番号に抜けが生じたことを検知した場合、送信装置に対してＲＬＣ−ＰＤＵの再送を要求するＲＬＣ再送制御が実行される。
【先行技術文献】
【非特許文献】
【０００８】
【非特許文献１】3GPP TS 36.211 V14.1.0 (2017-01)
【非特許文献２】3GPP TS 36.212 V14.1.1 (2017-01)
【非特許文献３】3GPP TS 36.213 V14.1.0 (2017-01)
【非特許文献４】3GPP TS 36.300 V14.1.0 (2016-12)
【非特許文献５】3GPP TS 36.321 V14.1.0 (2016-12)
【非特許文献６】3GPP TS 36.322 V13.2.0 (2016-07)
【非特許文献７】3GPP TS 36.323 V14.1.0 (2016-12)
【非特許文献８】3GPP TS 36.331 V14.1.0 (2017-01)
【非特許文献９】3GPP TS 36.413 V14.1.0 (2017-01)
【非特許文献１０】3GPP TS 36.423 V14.1.0 (2017-01)
【非特許文献１１】3GPP TS 36.425 V13.1.1 (2016-09)
【非特許文献１２】3GPP TR 38.801 V1.0.0 (2016-12)
【非特許文献１３】3GPP TR 38.802 V1.1.0 (2017-01)
【非特許文献１４】3GPP TR 38.803 V1.1.0 (2017-01)
【非特許文献１５】3GPP TR 38.804 V0.4.0 (2016-12)
【非特許文献１６】3GPP TR 38.900 V2.0.0 (2016-06)
【非特許文献１７】3GPP TR 38.912 V0.0.2 (2016-09)
【非特許文献１８】3GPP TR 38.913 V1.0.0 (2016-10)
【発明の概要】
【発明が解決しようとする課題】
【０００９】
ところで、５Ｇ等の次世代の通信システムでは、上記で記載したとおり、様々なユースケースを想定している。想定される様々なユースケースに対応するための各レイヤにおける送受信処理、例えば、許容遅延が異なる複数のデータ（例えば、ｅＭＢＢデータとＵＲＬＬＣデータ）に対応するための各レイヤにおける送受信処理が求められる。【００１０】
開示の技術は、上記に鑑みてなされたものであって、許容遅延量の異なるデータに関する望ましい送受信処理を行える無線通信装置、無線通信システム、及び無線通信方法を提供する目的とする。
【課題を解決するための手段】
【００１１】
送信番号を含むパケットを用いて無線接続する他の無線通信装置にデータを送信する無線通信装置であって、前記データの送信に関する条件を示す送信条件が第１送信条件である場合、前記データを第１データに分類し、前記データの送信条件が前記第１送信条件とは異なる第２送信条件である場合、前記データを第２データに分類する制御部と、前記データが第１データである場合、前記無線接続に関するレイヤにおける第１送信モードで送信し、前記データが第２データである場合、前記無線接続に関するレイヤにおける第２送信モードで送信する送信部とを有する。
【発明の効果】
【００１２】
一開示は、許容遅延量の異なるデータに関する望ましい送受信処理を行うことにある。
【図面の簡単な説明】
【００１３】
【図１】図１は、第１の実施の形態における、無線通信システムの構成例を示す図である。
【図２】図２は、無線通信システム１０の構成例を示す図である。
【図３】図３は、基地局装置２００の構成例を示す図である。
【図４】図４は、端末装置１００の構成例を示す図である。
【図５】図５は、無線通信システム１０におけるデータ送受信処理の例を示す図である。
【図６】図６は、データ種別分類処理Ｓ１０１の処理フローチャートの例を示す図である。
【図７】図７は、データ送信処理Ｓ１０２の処理フローチャートの例を示す図である。
【図８】図８は、送信モード判定処理Ｓ１０４の処理フローチャートの例を示す図である。
【図９】図９は、第１送信モード受信処理Ｓ１０５の処理フローチャートの例を示す図である。
【図１０】図１０は、第２送信モード受信処理Ｓ１１１の処理フローチャートの例を示す図である。
【図１１】図１１は、無線通信システム１０におけるデータ送受信処理の例を示す図である。
【図１２】図１２は、データ送信処理Ｓ２００の処理フローチャートの例を示す図である。
【図１３】図１３は、第２送信モード受信処理Ｓ２０４の処理フローチャートの例を示す図である。
【図１４】図１４は、第４の実施の形態におけるプロトコルスタックの例を示す図である。
【図１５】図１５は、データ送信処理Ｓ３００の処理フローチャートの例を示す図である。
【図１６】図１６は、送信モード判定処理Ｓ４００の処理フローチャートの例を示す図である。
【発明を実施するための形態】
【００１４】
以下、本実施の形態について図面を参照して詳細に説明する。本明細書における課題及び実施例は一例であり、本願の権利範囲を限定するものではない。特に、記載の表現が異なっていたとしても技術的に同等であれば、異なる表現であっても本願の技術を適用可能であり、権利範囲を限定するものではない。
【００１５】
［第１の実施の形態］
最初に第１の実施の形態について説明する。
【００１６】
第１の実施の形態における無線通信システム１０は、無線通信装置１００−１，２を有する。無線通信装置１００−１は、データを送信する送信側の無線通信装置であり、無線通信装置１００−２は、データを受信する受信側の無線通信装置である。
【００１７】
無線通信装置１００−１は、送信順を示す連続した番号である送信番号を含むパケットを用いて、無線接続する無線通信装置１００−２にデータを送信する。また、無線通信装置１００−１は、データの送信に関する条件を示す送信条件が第１送信条件である場合、データを第１データに分類し、データの送信条件が前記第１送信条件とは異なる第２送信条件である場合、データを第２データに分類する制御部を有する。さらに、無線通信装置１００−１は、データが第１データである場合、無線接続に関するレイヤにおける第１送信モードで送信し、データが第２データである場合、前記無線接続に関するレイヤにおける第２送信モードで送信する送信部を有する。
【００１８】
無線通信装置１００−２は、無線接続する無線通信装置１００−１から、送信番号を含むパケットを用いて送信されたデータを受信する。また、無線通信装置１００−２は、データを含むパケットを受信する受信部を有する。さらに、無線通信装置１００−２は、受信したパケットが第１送信モードで送信されている場合、第１受信処理を行い、受信したパケットが第２送信モードで送信されている場合、第２受信処理を行う処理部を有する。処理部は、第１受信処理において、事前に受信したパケットと連続した送信番号のパケットを受信したとき、受信したパケットに含まれるデータに対応する処理を実行し、事前に受信したパケットと連続しない送信番号のパケットを受信したとき、受信したパケットに含まれるデータに対応する処理を実行しない。また、処理部は、第２受信処理において、事前に受信したパケットと連続した、又は連続しない送信番号のパケットを受信したとき（すなわち、受信したパケットの送信番号に関わらず）、受信したパケットに含まれるデータに対応する処理を実行する。
【００１９】
図１は、第１の実施の形態における、無線通信システム１０の構成例を示す図である。無線通信システム１０は、無線通信装置１００−１，２を有する。無線通信装置１００−１，２は、無線を介して接続しており、例えば、パケットを使用してデータの送受信を行う。無線通信装置１００−１は、例えば、基地局装置である。無線通信装置１００−２は、例えば、携帯電話などの端末装置や、サーバやホストマシンなどのコンピュータである。また、例えば、無線通信装置１００−１が端末装置又はコンピュータであり、無線通信装置１００−２が基地局装置であってもよい。さらに、無線通信装置１００−１，２は、例えば、送信側の無線通信装置（図１における無線通信装置１００−１）と受信側の無線通信装置（図１における無線通信装置１００−２）の両装置の構成を有してもよい。
【００２０】
無線通信装置１００−１，２は、例えば、互いにＴＣＰ（Transmission Control Protocol）／ＩＰ（Internet Protocol）に基づき通信を行う。また、無線通信装置１００−１，２は、図示しないプロセッサ、ストレージ、メモリを有し、ストレージに記憶されたプログラムをメモリにロードし、プロセッサがロードしたプログラムを実行することで、制御部１０１、送信部１０２、受信部１０３、及び処理部１０４を構築し、各処理を実行する。
【００２１】
無線通信装置１００−１は、無線通信装置１００−２に送信するデータを生成、又は他の装置から受信し、データの送信処理を開始する。制御部１０１は、送信条件が第１送信条件である場合、データを第１データに分類し、データの送信条件が前記第１送信条件とは異なる第２送信条件である場合、データを第２データに分類する。
【００２２】
送信条件は、例えば、送信先である無線通信装置１００−２にデータが到達するまでの時間などの送信時間に関する条件である。送信条件が送信時間に関する条件である場合、例えば、送信するデータを使用するアプリケーションプログラム（例えば、無線通信装置１００−２が有する）に、データが到達するまでの許容時間を示す許容遅延時間である。
【００２３】
また、送信条件は、例えば、データの重要度や緊急度であってもよい。重要度や緊急度は、例えば、データを生成するアプリケーションプログラムや装置によって設定され、データの一部やデータを送信するためのヘッダ部に含まれてもよい。
【００２４】
第１データと第２データは、送信条件の差異によって分類される。例えば、第２データは第１データと比べて、より緊急度の高いデータである。また、例えば、第２データの許容遅延時間は、第１データの許容遅延時間よりも短い。
【００２５】
制御部１０１は、例えば、許容遅延時間（送信条件）が所定の閾値未満（第１送信条件）である場合、データを第１データに分類する。そして、制御部１０１は、例えば、許容遅延時間（送信条件）が所定の閾値以上（第２送信条件）である場合、データを第２データに分類する。
【００２６】
送信部１０２は、データが第１データである場合、無線接続に関するレイヤにおける第１送信モードで送信し、データが第２データである場合、前記無線接続に関するレイヤにおける第２送信モードで送信する。
【００２７】
無線接続に関するレイヤは、例えば、データリンク層（第二層）の一つであるＲＬＣレイヤである。ＲＬＣレイヤは、例えば、シーケン番号を用いてパケットの送信順を管理し、パケットの再送制御などを行うレイヤである。
【００２８】
送信モードは、例えば、無線接続に関するレイヤがＲＬＣレイヤである場合、データの受信側装置がデータを受信したことを送信元装置に通知する受信確認であるＡＣＫ（acknowledgement）パケットに関する送信モードである。例えば、第１送信モードは、ＡＭ（Acknowledged Mode）である。ＡＭは、受信側装置に対して、ＡＣＫを送信することを要求する送信モードである。一方、例えば、第２送信モードは、ＵＭ（Unacknowledged Mode）である。ＵＭは、受信側装置に対して、ＡＣＫを送信することを要求しない送信モードである。ＡＭとＵＭでは、例えば、送信側装置がデータの送信完了を認識するまでの時間（送信完了時間）が異なる。送信側装置は、ＡＭにおいては、送信したデータに対するＡＣＫを受信するまで送信完了を認識しない。一方、送信側装置は、ＵＭにおいては、データを送信したときに送信完了を認識する。すなわち、ＵＭのほうがＡＭよりも少ない手順でデータを送信することができるため、送信完了時間が短く、例えば、緊急度の高いデータの送信に適している場合がある。
【００２９】
なお、第２送信モードは、ＴＭ（Transparent Mode）であってもよい。ＴＭは、ＲＬＣレイヤそのものを透過するモードであり、ＵＭと同様にＡＣＫの送信を受信側装置に要求しない送信モードである。
【００３０】
送信部１０２は、例えば、第１データをＡＭ（第１送信モード）で送信し、許容遅延時間が第１データより短い第２データをＵＭ（第２送信モード）で送信する。これにより、送信するデータの特性（送信条件）に応じて、送信モードを使い分けることができ、適切な送信モードでデータを送信することができる。
【００３１】
無線通信装置１００−２の受信部１０３は、第１送信モード又は第２送信モードで送信されたデータを受信する。処理部１０４は、受信したパケットが第１送信モードで送信されている場合、第１受信処理を行う。
【００３２】
処理部１０４は、第１受信処理において、事前に受信したパケットと連続した送信番号のパケットを受信したとき、受信したパケットに含まれるデータに対応する処理を実行し、事前に受信したパケットと連続しない送信番号のパケットを受信したとき、受信したパケットに含まれるデータに対応する処理を実行しない。事前に受信したパケットは、例えば、パケットに含まれるデータに対応する処理を実行したパケットのうち、最も直近に送信された（すなわち、送信番号が最大の）パケットである。
【００３３】
データに対応する処理は、例えば、無線通信装置１００が有するアプリケーションプログラムであって、データを使用するアプリケーションプログラムに、当該受信データを引き渡す処理である。当該アプリケーションプログラムは、図１におけるＡＰ（Application Program）１０５である。また、データに対応する処理は、例えば、無線接続に関するレイヤがＲＬＣレイヤである場合、より上位レイヤ（例えば、第三層のＲＲＣレイヤ）にデータを引き渡す処理であってもよい。
【００３４】
例えば、無線通信装置１００−２は、第１受信処理において、送信番号が１、２、５、４、３の順番でパケットを受信する。この場合、無線通信装置１００−２は、送信番号１，２のパケットは、送信順序通りに受信しており、送信番号１，２のデータをＡＰ１０５に引き渡す。無線通信装置１００−２は、次に送信番号５のパケットを受信するが、データをＡＰ１０５に引き渡したパケットのうち、送信番号が最大のパケット（事前に受信したパケット）の送信番号２と連続しないため、送信番号５のパケットのデータを保留する。同様に、無線通信装置１００−２は、送信番号４のパケットのデータも保留する。そして、無線通信装置１００−２は、送信番号３のパケットを受信すると、事前に受信したパケットの送信番号２と連続するため、送信番号３及び、保留している送信番号４、５のパケットのデータをＡＰ１０５に引き渡す。
【００３５】
また、処理部１０４は、受信したパケットが第２送信モードで送信されている場合、第２受信処理を行う。
【００３６】
処理部１０４は、第２受信処理において、事前に受信したパケットと連続した、又は連続しない送信番号のパケットを受信したとき、受信したパケットに含まれるデータに対応する処理を実行する。
【００３７】
例えば、無線通信装置１００−２は、第２受信処理において、送信番号が４のパケットを受信する。ただし、無線通信装置１００−２は、第１送信モードで送信番号が１，２のパケットを受信しているものとする。この場合、無線通信装置１００−２は、受信してパケットの送信番号４が、事前に受信した送信番号２のパケットと連続していなくても、送信番号４のパケットのデータを対象のアプリケーションプログラムに引き渡す。
【００３８】
すなわち、無線通信装置１００−２は、第１送信モードでパケットを受信した場合、受信したパケットの送信番号が連続番号であればＡＰ１０５に引き渡すが、受信したパケットの送信番号が非連続番号である場合、ＡＰ１０５に引き渡さず保留し、連続番号のパケットを受信するのを待ち受ける。一方、無線通信装置１００−２は、第２送信モードで送信されたパケットを受信した場合、送信番号に関わらず、他のパケットの受信待ちをすることなくＡＰ１０５にデータを引き渡す。これにより、例えば、無線通信装置は、第１送信モードで送信されたパケットの無線区間での欠落によりパケットの再送待ちをしている場合でも、第２送信モードで送信されたデータに対して、データに対応する処理（例えば、アプリケーションプログラムに引き渡す処理）を先行して実行することができる。
【００３９】
［第２の実施の形態］
次に、第２の実施の形態について説明する。
【００４０】
＜通信システムの構成例＞
図２は、無線通信システム１０の構成例を示す図である。無線通信システム１０は、端末装置１００、基地局装置２００、及びネットワーク３００を有する。無線通信システム１０は、例えば、ＬＴＥ（Long Term Evolution）の通信規格に対応した通信システムである。
【００４１】
端末装置１００は、例えば、携帯端末やコンピュータなどの無線通信装置である。端末装置１００は、例えば、基地局装置２００と無線接続し、基地局装置２００を介してネットワーク３００と通信を行う。端末装置１００は、基地局装置２００やネットワーク３００からデータをダウンロードしたり、サービスの提供を受けたりする。また、端末装置１００は、例えば、ＴＣＰ／ＩＰに基づいて、基地局装置２００やネットワーク３００と通信を行う。
【００４２】
基地局装置２００は、端末装置１００が送受信するパケットを中継する無線通信装置である。基地局装置２００は、例えば、ＬＴＥにけるｅＮｏｄｅＢ（evolved Node B）などの基地局装置である。また、基地局装置２００は、スイッチやルータなどのネットワーク機器であってもよい。さらに、基地局装置２００は、端末装置１００と無線通信を行う無線通信装置であってもよい。
【００４３】
ネットワーク３００は、例えば、インターネットであってもよいし、専用線で構成されているイントラネットであってもよい。
【００４４】
なお、第２の実施の形態においては、基地局装置２００がネットワーク３００からデータを受信し、受信したデータを端末装置１００に送信する場合の例である。しかし、データは、端末装置１００から基地局装置２００に送信されてもよい。
【００４５】
＜基地局装置の構成例＞
図３は、基地局装置２００の構成例を示す図である。基地局装置２００は、ＣＰＵ（Central Processing Unit）２１０、ストレージ２２０、ＤＲＡＭ（Dynamic Random Access Memory）などのメモリ２３０、ＮＩＣ（Network Interface Card）２４０、及びＲＦ（Radio Frequency）回路２５０を有する。
【００４６】
ストレージ２２０は、プログラムやデータを記憶する、フラッシュメモリ、ＨＤＤ（Hard Disk Drive）、又はＳＳＤ（Solid State Drive）などの補助記憶装置である。ストレージ２２０は、通信制御プログラム２２１及び送信側シーケンスナンバ情報テーブル２２２を記憶する。
【００４７】
送信側シーケンスナンバ情報テーブル２２２は、送信したパケットに付与したシーケンスナンバを記憶するテーブルである。基地局装置２００は、例えば、最後の送信したパケットのシーケンスナンバを、送信側シーケンスナンバ情報テーブル２２２に記憶する。
【００４８】
メモリ２３０は、ストレージ２２０に記憶されているプログラムをロードする領域である。また、メモリ２３０、プログラムがデータを記憶する領域としても使用される。
【００４９】
ＮＩＣ２４０は、ネットワーク３００と接続するネットワークインターフェースである。基地局装置２００は、ＮＩＣ２４０介して、他の通信装置やネットワーク３００とパケットの送受信を行うことで、端末装置１００の通信を中継する。
【００５０】
ＲＦ回路２５０は、端末装置１００と無線通信（無線接続）する装置である。ＲＦ回路２５０は、例えばアンテナを有し、端末装置１００が送信するパケット(電波)を受信したり、端末装置１００にパケット（電波）を送信したりする。
【００５１】
ＣＰＵ２１０は、ストレージ２２０に記憶されているプログラムを、メモリ２３０にロードし、ロードしたプログラムを実行し、各処理を実現するプロセッサである。
【００５２】
ＣＰＵ２１０は、通信制御プログラム２２１を実行することで、通信制御処理を行う。通信制御処理は、端末装置１００が行う通信を中継する、又は端末装置１００と通信を行う処理である。基地局装置２００は、通信制御処理において、例えば、端末装置１００から受信したパケットをパケットの送信先に送信する。また、基地局装置２００は、通信制御処理において、例えば、ネットワーク３００から端末装置１００宛てのパケットを受信し、端末装置１００に受信したパケットを送信する。
【００５３】
ＣＰＵ２１０は、通信制御プログラム２２１が有するデータ種別分類モジュール２２１１を実行することで、制御部を構築し、データ種別分類処理を行う。データ種別分類処理は、端末装置１００に送信するデータのデータ種別を分類する処理である。データ種別は、データを送信する送信モードを識別するための種別であり、第１送信モードで送信するデータを第１データ、第２送信モードで送信するデータを第２データと呼ぶ。基地局装置２００は、データ種別分類処理において、送信するデータの送信条件に基づいてデータ種別を分類する。第２の実施の形態において、基地局装置２００は、送信条件の例としてデータの許容遅延時間を使用し、データ種別を分類する。
【００５４】
また、ＣＰＵ２１０は、通信制御プログラム２２１が有するデータ送信モジュール２２１２を実行することで、送信部を構築し、データ送信処理を行う。データ送信処理は、基地局装置２００が端末装置１００送信するデータのデータ種別に応じた送信モードでデータを送信する処理である。送信モードは、無線接続に関するレイヤ（例えば、ネットワークレイヤの一つであるＲＬＣレイヤ）における送信方法の種類を示す。第２の実施の形態において、基地局装置２００は、第１送信モードの例としてＡＭ、第２送信モードの例としてＵＭを使用し、データを送信する。
【００５５】
＜端末装置の構成例＞
図４は、端末装置１００の構成例を示す図である。端末装置１００は、ＣＰＵ１１０、ストレージ１２０、ＤＲＡＭなどのメモリ１３０、及びＲＦ回路１５０を有する。
【００５６】
ストレージ１２０は、プログラムやデータを記憶する、フラッシュメモリ、ＨＤＤ、又はＳＳＤなどの補助記憶装置である。ストレージ１２０は、通信プログラム１２１及び受信側シーケンスナンバ情報テーブル１２２を記憶する。
【００５７】
受信側シーケンスナンバ情報テーブル１２２は、受信したパケットのシーケンスナンバを記憶するテーブルである。端末装置１００は、例えば、最後の受信した、あるいは最後にデータに対応する処理を実行したパケットのシーケンスナンバ、及び保留しているパケットのシーケンスナンバを受信側シーケンスナンバ情報テーブル１２２に記憶する。なお、第２の実施の形態では、データに対応する処理の例として、データを使用するアプリケーションプログラムにデータを引き渡す処理を使用する。
【００５８】
メモリ１３０は、ストレージ１２０に記憶されているプログラムをロードする領域である。また、メモリ１３０、プログラムがデータを記憶する領域としても使用される。
【００５９】
ＲＦ回路１５０は、基地局装置２００と無線通信（無線接続）する装置である。ＲＦ回路１５０は、例えばアンテナを有し、基地局装置２００にパケット(電波)を送信したり、基地局装置２００からパケット（電波）を受信したりする。
【００６０】
ＣＰＵ１１０は、ストレージ１２０に記憶されているプログラムを、メモリ１３０にロードし、ロードしたプログラムを実行し、各処理を実現するプロセッサである。
【００６１】
ＣＰＵ１１０は、通信プログラム１２１を実行することで、通信処理を行う。通信処理は、基地局装置２００を介してネットワーク３００と通信したり、基地局装置２００と通信したりする処理である。
【００６２】
ＣＰＵ１１０は、通信プログラム１２１が有する送信モード判定モジュール１２１１を実行することで、受信部を構築し、送信モード判定処理を行う。送信モード判定処理は、端末装置１００が受信したパケットの、基地局装置２００が送信した送信モードを判定する処理である。第２の実施の形態において、端末装置１００は、受信したパケットの送信モードを判定する例として、パケットのＬＣＨ（Link Channel）の番号を使用して判定を行う。
【００６３】
また、ＣＰＵ１１０は、通信プログラム１２１が有する第１送信モード受信モジュール１２１２を実行することで、処理部を構築し、第１送信モード受信処理を行う。第１送信モード受信処理は、端末装置１００が受信したパケットのシーケンスナンバに基づき、受信したパケットのデータを対象のアプリケーションに引き渡す、又は保留する処理である。
【００６４】
さらに、ＣＰＵ１１０は、通信プログラム１２１が有する第２送信モード受信モジュール１２１３を実行することで、処理部を構築し、第２送信モード受信処理を行う。第２送信モード受信処理は、端末装置１００が受信したパケットのシーケンスナンバに関わらず、受信したパケットのデータを対象のアプリケーションに引き渡す処理である。
【００６５】
＜データ送受信処理＞
図５は、無線通信システム１０におけるデータ送受信処理の例を示す図である。図５のシーケンスは、基地局装置２００から端末装置１００に、端末装置１００が有するアプリケーションプログラムが使用するデータを送信するシーケンスの例である。なお、基地局装置２００は、端末装置１００に送信するデータをネットワーク３００（図示しない）から受信する。基地局装置２００は、データＤ１、Ｄ２、Ｄ３、Ｄ４の順で送信するデータを受信する。そして、データＤ１、Ｄ２、及びＤ３は、データ種別が第１データであり、データＤ４は、データ種別が第２データであるものとする。
【００６６】
基地局装置２００は、端末装置１００宛てのデータＤ１を受信すると、データ種別分類処理を行う（Ｓ１０１）。
【００６７】
図６は、データ種別分類処理Ｓ１０１の処理フローチャートの例を示す図である。基地局装置２００は、端末装置１００に送信するデータの許容遅延時間を確認する（Ｓ１０１−１）。そして、基地局装置２００は、データの許容遅延時間が所定の閾値未満であれば（Ｓ１０１−２のＹｅｓ）、送信するデータは第２データであると分類する（Ｓ１０１−３）。一方、基地局装置２００は、データの許容遅延時間が所定の閾値未満でない場合（Ｓ１０１−２のＮｏ）、送信するデータは第１データであると分類する（Ｓ１０１−４）。基地局装置２００は、許容遅延時間に基づきデータ種別を分類することで、例えば、データの緊急度を分類することができる。
【００６８】
図５のシーケンスに戻り、基地局装置２００は、データ種別分類処理Ｓ１０１でデータＤ１は第１データであると分類し（図６のＳ１０１−４）、データ送信処理を行う（Ｓ１０２）。
【００６９】
図７は、データ送信処理Ｓ１０２の処理フローチャートの例を示す図である。基地局装置２００は、送信するデータが第１データである場合（Ｓ１０２−１のＹｅｓ）、第１送信モードに対応するＬＣＨを選択する（Ｓ１０２−２）。基地局装置２００は、第１送信モードに対応するＬＣＨが未設定である場合、第１送信モードに対応するＬＣＨを新たに生成する。基地局装置２００は、送信データとシーケンスナンバを含むパケットを生成し（Ｓ１０２−３）、第１送信モードで生成したパケットを送信する（Ｓ１０２−４）。
【００７０】
一方、基地局装置２００は、送信するデータが第２データである場合（Ｓ１０２−１のＮｏ）、第２送信モードに対応するＬＣＨを選択する（Ｓ１０２−５）。基地局装置２００は、送信データとシーケンスナンバを含むパケットを生成し（Ｓ１０２−６）、第２送信モードで生成したパケットを送信する（Ｓ１０２−７）。
【００７１】
基地局装置２００は、パケットを送信すると、送信側シーケンスナンバ情報テーブル２２２を更新し（Ｓ１０２−８）、処理を終了する。
【００７２】
図５のシーケンスに戻り、基地局装置２００は、データ送信処理Ｓ１０２を行い、パケットを端末装置１００に送信する（Ｓ１０３）。パケットＳ１０３は、例えば、シーケンスナンバが１であり、ＬＣＨ番号は１である。以降、シーケンスナンバがｘ（ｘは整数）であるシーケンスナンバをＳＮｘと表し、ＬＣＨ番号がｙ（ｙは整数）であるＬＣＨをＬＣＨｙと表す場合がある。例えば、第１送信モードに対応するＬＣＨがＬＣＨ１であるため、ＳＮ１、ＬＣＨ１のパケットＳ１０３が送信される。
【００７３】
端末装置１００は、パケットを受信すると、送信モード判定処理を行う（Ｓ１０４）。
【００７４】
図８は、送信モード判定処理Ｓ１０４の処理フローチャートの例を示す図である。端末装置１００は、受信したパケットのＬＣＨ番号を確認する（Ｓ１０４−１）。端末装置１００は、ＬＣＨが第１送信モードに対応するＬＣＨ番号である場合（Ｓ１０４−２のＹｅｓ）、第１送信モード受信処理を行い（Ｓ１０４−３）、ＬＣＨが第２送信モードに対応するＬＣＨ番号である場合（Ｓ１０４−２のＮｏ）、第２送信モード受信処理を行い（Ｓ１０４−４）、処理を終了する。
【００７５】
図５のシーケンスに戻り、端末装置１００は、送信モード判定処理Ｓ１０４を行い、第１送信モード受信処理を行う（Ｓ１０５、図８のＳ１０４−３）。
【００７６】
図９は、第１送信モード受信処理Ｓ１０５の処理フローチャートの例を示す図である。端末装置１００は、受信したパケットのシーケンスナンバが事前に受信したパケットのシーケンスナンバと連続している場合（Ｓ１０５−１のＹｅｓ）、保留しているデータがあるか否かを判定する（Ｓ１０５−２）。
【００７７】
端末装置１００は、保留しているデータがない場合（Ｓ１０５−２のＮｏ）、受信したパケットのデータをアプリケーションプログラムに引き渡す（Ｓ１０５−３）。一方、端末装置１００は、保留しているデータがある場合（Ｓ１０５−２のＹｅｓ）、保留しているデータと、受信したパケットのデータを、アプリケーションプログラムに引き渡す（Ｓ１０５−４）。
【００７８】
一方、端末装置１００は、受信したパケットのシーケンスナンバが事前に受信したパケットのシーケンスナンバと連続していない場合（Ｓ１０５−１のＮｏ）、受信したパケットのデータを保留する（Ｓ１０５−５）。
【００７９】
そして、端末装置１００は、受信側シーケンスナンバ情報テーブル１２２を更新し（Ｓ１０５−６）、処理を終了する。
【００８０】
図５のシーケンスに戻り、端末装置１００は、第１送信モード受信処理Ｓ１０５において、初回受信パケットであるため、事前に受信したパケットのシーケンスナンバと連続していると判定し（図９のＳ１０５−１のＹｅｓ）、保留しているデータは存在しないため（図９のＳ１０５−２のＮｏ）、パケットに含まれるデータＤ１をアプリケーションプログラムに引き渡す（Ｓ１０６、図９のＳ１０５−３）。
【００８１】
以降、基地局装置２００は、端末装置１００にデータを送信する契機が発生するごとに、データ種別分類処理Ｓ１０１を行うが、図５のシーケンスにおいてはデータ種別分類処理Ｓ１０１の記載を省略する。また、以降、端末装置１００は、パケットを受信するごとに送信モード判定処理Ｓ１０４を行うが、図５のシーケンスにおいては送信モード判定処理Ｓ１０４の記載を省略する。
【００８２】
基地局装置２００は、データＤ２及びＤ３を受信し、パケットＳ１０３の送信と同様の処理を行い、ＳＮ２、ＬＣＨ１のパケット、及びＳＮ３、ＬＣＨ１のパケットを端末装置１００に送信する（Ｓ１０７、Ｓ１０９）。
【００８３】
端末装置１００は、パケットＳ１０３受信時と同様に、パケットＳ１０７を受信し、パケットＳ１０７に含まれるデータＤ２をアプリケーションプログラムに引き渡す（Ｓ１０８）。しかし、図５のシーケンスにおいては、例えば、無線区間における電波状態の劣化により、パケットＳ１０９が端末装置１００に到達しない。
【００８４】
そして、基地局装置２００は、データ種別が第２データであるデータＤ４（例えば、許容遅延時間が所定の閾値未満であるデータ）を受信すると、データ送信処理Ｓ１０２おいて、第２送信モードに対応するＬＣＨ２を選択し（図７のＳ１０２−５）、ＳＮ４、ＬＣＨ２のパケットを端末装置１００に送信する（Ｓ１１０、図７のＳ１０２−６，７）。
【００８５】
端末装置１００は、パケットＳ１１０を受信すると、ＬＣＨ２が第２送信モードに対応するＬＣＨであると判定し（図８のＳ１０４−２のＮｏ）、第２送信モード受信処理を行う（Ｓ１１１、図８のＳ１０４−４）。
【００８６】
図１０は、第２送信モード受信処理Ｓ１１１の処理フローチャートの例を示す図である。端末装置１００は、受信したパケットのデータをアプリケーションプログラムに引き渡す（Ｓ１１１−１）。そして、受信側シーケンスナンバ情報テーブル１２２を更新する（Ｓ１１１−２）。端末装置１００は、第２送信モード受信処理Ｓ１１１において、受信したシーケンスナンバが連続しているか否かの判定なしに（すなわち、シーケンスナンバが連続していても、不連続であっても）、データをアプリケーションプログラムに引き渡す。
【００８７】
図５のシーケンスに戻り、端末装置１００は、第２送信モード受信処理Ｓ１１１において、パケットＳ１１０に含まれるデータＤ４をアプリケーションプログラムに引き渡す（Ｓ１１２、図１０のＳ１１１−１）。
【００８８】
第２の実施の形態において、データの送信側装置（基地局装置２００）は、送信するデータの許容遅延時間に応じて、ＲＬＣレイヤにおける送信モードを使い分ける。これにより、データの送信側装置は、データの送信条件に応じた送信モードでデータを送信することができ、様々なデータの送信に対応することができる。また、データの受信側装置（端末装置１００）は、受信したデータが特定の送信モード（第２送信モード）であった場合、シーケンスナンバに関わらず、受信したデータに対応する処理を行う。これにより、データの受信側装置は、例えば、緊急性が高く早急に処理すべき緊急データを受信すると、緊急データの前に送信されたデータが到達していない場合でも、緊急データを先に処理することができる。
【００８９】
［第３の実施の形態］
次に、第３の実施の形態について説明する。
【００９０】
＜データ送受信処理＞
図１１は、無線通信システム１０におけるデータ送受信処理の例を示す図である。図１１のシーケンスは、基地局装置２００から端末装置１００に、端末装置１００が有するアプリケーションプログラムが使用するデータを送信するシーケンスの例である。図５のシーケンスのデータ送信処理Ｓ１０２と、図１１のシーケンスのデータ送信処理Ｓ２００との差異について以下に説明する。
【００９１】
図１２は、データ送信処理Ｓ２００の処理フローチャートの例を示す図である。基地局装置２００は、送信するデータが第１データである場合（Ｓ２００−１のＹｅｓ）、第１送信モードに対応するＬＣＨを選択する（Ｓ２００−２）。以下、処理Ｓ２００−３，４及び処理Ｓ２００−８は、図７における処理Ｓ１０２−３，４及び処理Ｓ１０２−８と同様である。
【００９２】
一方、基地局装置２００は、送信するデータが第２データである場合（Ｓ２００−１のＮｏ）、第２送信モードに対応するＬＣＨを選択する（Ｓ２００−５）。基地局装置２００は、送信データとシーケンスナンバを含むパケットを生成し（Ｓ２００−６）、第２送信モードで、所定数の生成したパケットを送信する（Ｓ２００−７）。
【００９３】
所定数は、例えば、２以上である。基地局装置２００は、第２データを含むパケットを複数送信することで、第２データを含むパケットが端末装置１００に到達する確率を向上させることができる。なお、所定数を１とした場合、データ送信処理Ｓ２００は、図７におけるデータ送信処理Ｓ１０２と同様の処理となる。
【００９４】
以下、図１１のシーケンスの説明において、図１１のシーケンスにおける処理Ｓ１０１及び処理Ｓ１０３から処理Ｓ１０９までは、図５のシーケンスの処理Ｓ１０１及び処理Ｓ１０３から処理Ｓ１０９と同様であるため、説明を割愛する。
【００９５】
基地局装置２００は、データ種別が第２データであるデータＤ４を受信すると、データ送信処理Ｓ２００おいて、第２送信モードに対応するＬＣＨを選択し（図１２のＳ２００−５）、ＳＮ４、ＬＣＨ２の所定数（例えば３）のパケットを端末装置１００に送信する（Ｓ２０１〜Ｓ２０３、図１２のＳ２００−６，７）。そして、端末装置１００は、パケットＳ２０１、パケットＳ２０２、及びパケットＳ２０３を受信し、第２送信モード受信処理を行う（Ｓ２０４）。
【００９６】
図１３は、第２送信モード受信処理Ｓ２０４の処理フローチャートの例を示す図である。端末装置１００は、受信したパケットのシーケンスナンバと同一のシーケンスナンバのパケットを、受信済みか否かを確認する（Ｓ２０４−１）。端末装置１００は、受信したパケットのシーケンスナンバと同一のシーケンスナンバのパケットを受信していない場合（Ｓ２０４−１のＮｏ）、受信したパケットのデータをアプリケーションプログラムに引き渡す（Ｓ２０４−２）。そして、受信側シーケンスナンバ情報テーブル１２２を更新する（Ｓ２０４−３）。
【００９７】
一方、端末装置１００は、受信したパケットのシーケンスナンバと同一のシーケンスナンバのパケットを受信済みである場合（Ｓ２０４−１のＹｅｓ）、受信したパケットのデータを破棄し（Ｓ２０４−４）、処理を終了する。
【００９８】
図１１のシーケンスに戻り、端末装置１００は、第２送信モード受信処理Ｓ２０４において、パケットＳ２０１に含まれるデータＤ４をアプリケーションプログラムに引き渡す（Ｓ１１２）。そして、端末装置１００は、パケットＳ２０２を受信し、同一のシーケンスナンバ（ＳＮ４）のパケットであるパケットＳ２０１を受信済みであるため（図１３のＳ２０４のＹｅｓ）、受信したパケットＳ２０２に含まれるデータＤ４を破棄する（図１３のＳ２０４−４）。端末装置１００は、同様に、パケットＳ２０３に含まれるデータＤ４を破棄する。
【００９９】
第３の実施の形態において、基地局装置２００は、第２データを含むパケットを複数送信することで、第２データを含むパケットが端末装置に到達する確率を向上させ、信頼性を向上させる。そして、端末装置１００は、同一シーケンスナンバのパケットのデータを破棄することで、同じ第２データが重複してアプリケーションプログラムに引き渡されることを防止する。
【０１００】
［第４の実施の形態］
次に、第４の実施の形態について説明する。
【０１０１】
図１４は、第４の実施の形態におけるプロトコルスタックの例を示す図である。例えば、５Ｇにおいて、第２層内に新規のレイヤ（以下、新規レイヤＬ１と呼ぶ場合がある）が規定される場合がある。第４の実施の形態において、基地局装置２００は、第２層の最上位に位置する新規レイヤＬ１（例えば、Ｎｅｗ  ＡＳ  サブレイヤ、あるいはＳＤＡＰ（Service Data Adaptation Protocol））において、第２データに対するマーキングを実行する。
【０１０２】
図１５は、データ送信処理Ｓ３００の処理フローチャートの例を示す図である。基地局装置２００は、送信データが第１データである場合（Ｓ３００−１のＹｅｓ）、第１データを送信する処理を行う（Ｓ３００−２〜Ｓ３００−４）。処理Ｓ３００−２から処理Ｓ３００−５は、図７における処理Ｓ１０２−２から処理Ｓ１０２−４と同様の処理である。
【０１０３】
一方、基地局装置２００は、送信データが第２データである場合（Ｓ３００−１のＮｏ）、新規レイヤＬ１において、第２データあることを示すマーキングを実施する（Ｓ３００−６）。基地局装置２００は、例えば、新規レイヤＬ１のヘッダ部に、第２データ用のフラグ（例えば、１の場合は第２データであることを示す）を設定し、当該フラグを１にする。また、基地局装置２００は、例えば、下位レイヤであるＰＤＣＰレイヤのヘッダ部に、第２データ用のフラグを設定し、当該フラグを１にしてもよい。ただし、下位レイヤであるＰＤＣＰレイヤのヘッダ部のフラグを１にすることで、ＰＤＣＰレイヤのデータの整合性が損なわれる場合（例えばパリティや認証乱数など、ヘッダ部のデータを使用して生成されるデータが存在する場合）がある。この場合、新規レイヤＬ１は、ＰＤＣＰレイヤの処理に対して、ヘッダ部の変更によるデータの再構築（再計算）を要求したり、もしくは、新規レイヤＬ１における処理において、ＰＤＣＰレイヤのデータを再構築したりすることが必要となる。
【０１０４】
そして、基地局装置２００は、第２データを送信する処理を行い（Ｓ３００−７〜Ｓ３００−９）、送信側シーケンスナンバ情報テーブル２２２を更新し（Ｓ３００−５）処理を終了する。なお、処理Ｓ３００−７から処理Ｓ３００−９は、図７における処理Ｓ１０２−５から処理Ｓ１０２−７と同様の処理である。
【０１０５】
図１６は、送信モード判定処理Ｓ４００の処理フローチャートの例を示す図である。端末装置１００は、受信したパケットの第２データであることを示すマーキングがされているか否かを判定する（Ｓ４００−１）。第２データであることを示すマーキングがされているか否かの判定は、例えば、ＰＤＣＰレイヤのヘッダ部に設定された第２データ用のフラグの値を確認することで行う。また、第２データであることを示すマーキングがされているか否かの判定は、例えば、新規レイヤＬ１のヘッダ部に設定された第２データ用のフラグの値を確認することで行う。
【０１０６】
端末装置１００は、第２データであることを示すマーキングがされている場合（Ｓ４００−１のＹｅｓ）、第２送信モード受信処理を行い（Ｓ４００−２）、第２データであることを示すマーキングがされていない場合（Ｓ４００−１のＮｏ）、第１送信モード受信処理を行う（Ｓ４００−３）。
【０１０７】
第４の実施の形態においては、基地局装置２００は、第２層に規定された新規のレイヤの処理として、送信するデータが第２データであることを示すマーキングを行う。これにより、基地局装置２００は、新規レイヤが規定された場合であっても、データ種別に応じた送信を実現することができる。
【０１０８】
なお、第４の実施の形態において、基地局装置２００は、第２データであることを示すマーキングを実施し、さらに、データ種別によって送信モードを使い分けている。しかし、基地局装置２００は、第２データであることを示すマーキングを実施した場合、データ種別による送信モードの使い分けは実施しなくてもよい。また、端末装置１００は、第２データであることを示すマーキングがされているか否かでデータ種別（又は送信モード）を判定しているが、例えば第２の実施の形態で示すように、ＬＣＨ番号で送信モードを判定してもよい。
【０１０９】
［その他の実施の形態］
各実施の形態における処理は、それぞれ組み合わせてもよい。
【０１１０】
例えば、基地局装置（無線通信装置）は、第１〜第４の実施の形態における処理の一部又は全部を行ってもよい。同様に、例えば、端末装置（無線通信装置）は、第１〜第４の実施の形態における処理の一部又は全部を行ってもよい。  
【符号の説明】
【０１１１】
１０…無線通信システム
１００…端末装置（無線通信装置）
１０１…制御部
１０２…送信部
１０３…受信部
１０４…処理部
１０５…ＡＰ
１１０…ＣＰＵ
１２０…ストレージ
１２１…通信プログラム
１２１１…送信モード判定モジュール
１２１２…第１送信モード受信モジュール
１２１３…第２送信モード受信モジュール
１２２…受信側シーケンスナンバ情報テーブル
１３０…メモリ
１５０…ＲＦ回路
２００…基地局装置
２１０…ＣＰＵ
２２０…ストレージ
２２１…通信制御プログラム
２２１１…データ種別分類モジュール
２２１２…データ送信モジュール
２２２…送信側シーケンスナンバ情報テーブル
２３０…メモリ
２４０…ＮＩＣ
２５０…ＲＦ回路
３００…ネットワーク
【図１】
2018189882.tif 000003
【図２】
2018189882.tif 000004
【図３】
2018189882.tif 000005
【図４】
2018189882.tif 000006
【図５】
2018189882.tif 000007
【図６】
2018189882.tif 000008
【図７】
2018189882.tif 000009
【図８】
2018189882.tif 000010
【図９】
2018189882.tif 000011
【図１０】
2018189882.tif 000012
【図１１】
2018189882.tif 000013
【図１２】
2018189882.tif 000014
【図１３】
2018189882.tif 000015
【図１４】
2018189882.tif 000016
【図１５】
2018189882.tif 000017
【図１６】
2018189882.tif 000018
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
送信番号を含むパケットを用いて無線接続する他の無線通信装置にデータを送信する無線通信装置であって、
前記データの送信に関する条件を示す送信条件が第１送信条件である場合、前記データを第１データに分類し、前記データの送信条件が前記第１送信条件とは異なる第２送信条件である場合、前記データを第２データに分類する制御部と、
前記データが第１データである場合、前記無線接続に関するレイヤにおける第１送信モードで送信し、前記第２データが第２データである場合、前記無線接続に関するレイヤにおける第２送信モードで送信する送信部と
を有する無線通信装置。
【請求項２】
前記第１送信モードは、前記他の無線通信装置が事前に受信したパケットと連続した送信番号のパケットを受信したとき、前記他の無線通信装置に前記受信したパケットに含まれるデータに対応する処理を実行させ、前記他の無線通信装置が事前に受信したパケットと連続しない送信番号のパケットを受信したとき、前記他の無線通信装置に事前に受信したパケットと連続した送信番号のパケットを受信するまで前記受信したパケットに含まれるデータに対応する処理を実行させない送信モードであり、
前記第２送信モードは、前記他の無線通信装置が事前に受信したパケットと連続した、あるいは連続しない送信番号のパケットを受信したとき、前記他の無線通信装置に前記受信したパケットに含まれるデータに対応する処理を実行させる送信モードである
請求項１記載の無線通信装置。
【請求項３】
前記データに対応する処理は、前記データを使用するアプリケーションプログラムであって、前記他の無線通信装置が有するアプリケーションプログラムに前記データを引き渡す処理である
請求項２記載の無線通信装置。
【請求項４】
前記送信条件は、前記データの送信において許容される遅延時間を示す許容遅延時間であり、
前記第２送信条件は、前記第１送信条件よりも短い許容時間である
請求項１ないし３記載の無線通信装置。
【請求項５】
前記第２送信モードにおける前記パケットの送信が完了するまでの送信完了時間は、前記第１送信モードにおける送信完了時間よりも短い
請求項１ないし４記載の無線通信装置。
【請求項６】
前記送信部は、前記データを前記第１送信モードで送信するとき、第１無線チャネルを使用し、前記データを前記第２送信モードで送信するとき、前記第１無線チャネルとは異なる第２無線チャネルを使用する
請求項１ないし５記載の無線通信装置。
【請求項７】
前記第１送信モードは、前記他の無線通信装置に対して、パケットを受信したことを示す受信確認を送信するよう要求する送信モードであり、
前記第２送信モードは、前記他の無線通信装置に対して、前記受信確認を要求しない送信モードである
請求項１ないし６記載の無線通信装置。
【請求項８】
前記送信部は、前記データを前記第２送信モードで送信するとき、複数の前記無線接続に関するレイヤのうち、最上位のレイヤにおいて、前記データが第２データであることを示す情報を、前記データを送信するパケットに含める
請求項１ないし７記載の無線通信装置。
【請求項９】
前記送信部は、前記データを前記第２送信モードで送信するとき、前記データを複数回送信する
請求項１ないし８記載の無線通信装置。
【請求項１０】
無線接続する他の無線通信装置から、送信番号を含むパケットを用いて送信されたデータを受信する無線通信装置であって、
前記データを含むパケットを受信する受信部と、
前記受信したパケットが、前記データの送信に関する条件を示す送信条件が第１送信条件である第１データであるときに使用される第１送信モードで送信されている場合、第１受信処理を行い、前記受信したパケットが、前記送信条件が第２送信条件である第２データであるときに使用される第２送信モードで送信されている場合、第２受信処理を行う処理部と、  
を有する無線通信装置。
【請求項１１】
前記受信部は、受信したパケットに使用されている無線チャネルが、
前記データを第１送信モードで送信するとき使用される第１無線チャネルであるとき、前記受信したパケットは第１送信モードで送信されたと判定し、
前記データを第２送信モードで送信するとき使用される前記第１無線チャネルとは異なる第２無線チャネルであるとき、前記受信したパケットは第２送信モードで送信されたと判定する
請求項１０記載の無線通信装置。
【請求項１２】
第１の無線通信装置と、送信番号を含むパケットを用いて無線接続する前記第１の無線通信装置にデータを送信する第２の無線通信装置を有する無線通信システムであって、
前記第２の無線通信装置は、
前記データの送信に関する条件を示す送信条件が第１送信条件である場合、前記データを第１データに分類し、前記データの送信条件が前記第１送信条件とは異なる第２送信条件である場合、前記データを第２データに分類する制御部と、
前記データが第１データである場合、前記無線接続に関するレイヤにおける第１送信モードで送信し、前記第２データが第２データである場合、前記無線接続に関するレイヤにおける第２送信モードで送信する送信部とを有し、
前記第１の無線通信装置は、
前記データを含むパケットを受信する受信部と、
前記受信したパケットが第１送信モードで送信されている場合、第１受信処理を行い、前記受信したパケットが第２送信モードで送信されている場合、第２受信処理を行う処理部とを有する
無線通信システム。
【請求項１３】
送信番号を含むパケットを用いて無線接続する他の無線通信装置にデータを送信する無線通信装置における無線通信方法であって、
前記データの送信に関する条件を示す送信条件が第１送信条件である場合、前記データを第１データに分類し、前記データの送信条件が前記第１送信条件とは異なる第２送信条件である場合、前記データを第２データに分類し、
前記データが第１データである場合、前記無線接続に関するレイヤにおける第１送信モードで送信し、前記第２データが第２データである場合、前記無線接続に関するレイヤにおける第２送信モードで送信する
無線通信方法。
【手続補正２】
【補正対象書類名】明細書
【補正対象項目名】００６２
【補正方法】変更
【補正の内容】
【００６２】
ＣＰＵ１１０は、通信プログラム１２１が有する送信モード判定モジュール１２１１を実行することで、受信部を構築し、送信モード判定処理を行う。送信モード判定処理は、端末装置１００が受信したパケットの、基地局装置２００が送信した送信モードを判定する処理である。第２の実施の形態において、端末装置１００は、受信したパケットの送信モードを判定する例として、パケットのＬＣＨ（Logical Channel）の番号を使用して判定を行う。
【国際調査報告】
2018189882.tif 000019
2018189882.tif 000020
2018189882.tif 000021
2018189882.tif 000022